(57)【要約】【課題】簡単な構成でルーバにミストが当接せず、高温のミストが滴下しないサウナ装置を提供することを目的とする。【解決手段】ミストノズル１５とルーバ１０とを制御する制御装置１６に循環モータ７の回転数を検知する回転数検知手段２６を備え、ルーバ１０を所定の角度で停止させ、循環モータ７を駆動させた時の回転数を記憶し、回転数の差が所定値以上のときのみ、ミストノズルから噴射する構成としたことにより、高温のミストがルーバ１０に当接して結露し滴下することのないサウナ装置が得られる。【選択図】図４
2015159847.tif 000002
【特許請求の範囲】
【請求項１】
浴室内の空気を循環する循環ファンと、
前記循環ファンを駆動する循環モータと、
前記循環ファンにより生成される循環空気を加熱する加熱手段と、
前記循環ファンの吹出口に設けたミストノズルと、
前記ミストノズルに対向して設けられステッピングモータで回動されるルーバと、
前記循環ファンと前記ミストノズルと前記ルーバとを制御する制御装置を備えたサウナ装置であって、
前記制御装置は、前記循環モータの回転数を検知する回転数検知手段を備え、
前記ルーバを所定の２つの角度（θ１、θ２）にして、前記循環モータを所定の駆動電圧Ｖ１を与えて回転させて、前記回転数検知手段によってそれぞれの回転数を測定し、
計測した回転数の差ΔＲが予め設定した所定の回転数よりも大きいときに、前記ミストノズルからの噴射を行うよう制御することを特徴とするサウナ装置。
【請求項２】
前記回転数の差ΔＲが予め設定した前記所定の回転数よりも小さいときに、
さらに、前記ルーバを前記所定の２つの角度（θ１、θ２）にして、前記循環モータを前記駆動電圧Ｖ１よりも高い所定の駆動電圧Ｖ２を与えて回転させて、前記回転数検知手段によってそれぞれの回転数を測定し、
計測した回転数の差が予め設定した前記所定の回転数よりも大きいときに、前記ミストノズルからの噴射を行うよう制御することを特徴とする請求項１記載のサウナ装置。
【発明の詳細な説明】
【技術分野】
【０００１】
本発明は、浴室内を高温高湿なサウナ空間にするサウナ装置に関するものである。
【背景技術】
【０００２】
従来、この種のサウナ装置の一例として、浴室の天井に設置し浴室をサウナ室とするミスト装置が知られている（例えば特許文献１参照）。
【０００３】
特許文献１に示すものは浴室暖房装置の吸気口の側方にミスト噴出部を設けたものである。
【０００４】
また、他のサウナ装置の一例として、浴室にミストノズルユニットを設置するミスト式浴室暖房装置も知られている（例えば特許文献２参照）。
【先行技術文献】
【特許文献】
【０００５】
【特許文献１】特開２００２−３３６３２７号公報
【特許文献２】特開平６−８８６２９号公報
【発明の概要】
【発明が解決しようとする課題】
【０００６】
このような従来のサウナ装置においては、ノズルからは水滴径１〜５００μｍのミストが噴出されるため、ミストが到達する範囲は限られると共に大きい水滴のものはそのまま滴下していくので、ミストが到達する所と到達していない所では温度と湿度が異なる温湿度むらが生じるという課題を有していた。
【０００７】
本発明は、このような課題を解決する天井取り付け型の浴室暖房装置の加熱空気の吹き出し口にミストノズル設けたサウナ装置に関するものである。
【０００８】
ミストノズルを加熱空気の吹き出し口に設けることでミストは高温に加熱され、微細化され温湿度が均一なサウナ空間を得ることができるが、ミストノズルが噴射するミストが下方にある吹き出し方向を可変するルーバに当接すると結露水が滞留し、下方に滴下して不快感を与えることがある。
【０００９】
ルーバに当接しない角度でミストを噴射するためにルーバの角度を検知するロータリーエンコーダなどの角度センサを用いる方法があるが、この方法はコストが高く実用には困難がある。
【００１０】
そこで本発明は、上記従来の課題を解決するものであり、簡単な構成でルーバにミストが当接しない、すなわち、結露したミストが滴下しないサウナ装置を提供することを目的としている。
【課題を解決するための手段】
【００１１】
そして、この目的を達成するために本発明は、浴室内の空気を循環する循環ファンと、前記循環ファンを駆動する循環モータと、
前記循環ファンにより生成される循環空気を加熱する加熱手段と、前記循環ファンの吹出口に設けたミストノズルと、前記ミストノズルに対向して設けられステッピングモータで回動されるルーバと、前記循環ファンと前記ミストノズルと前記ルーバとを制御する制御装置を備えたサウナ装置であって、前記制御装置は、前記循環モータの回転数を検知する回転数検知手段を備え、前記ルーバを所定の２つの角度（θ１、θ２）にして、前記循環モータを所定の駆動電圧Ｖ１を与えて回転させて、前記回転数検知手段によってそれぞれの回転数を測定し、
計測した回転数の差ΔＲが予め設定した所定の回転数よりも大きいときに、前記ミストノズルからの噴射を行うよう制御したものであり、これにより、所期の目的を達成するものである。
【発明の効果】
【００１２】
本発明によれば、制御装置は、循環モータの回転数を検知する回転数検知手段を備え、ルーバを所定の２つの角度（θ１、θ２）にして、前記循環モータを所定の駆動電圧Ｖ１を与えて回転させて、前記回転数検知手段によってそれぞれの回転数を測定する構成にしたことにより、計測した回転数の差ΔＲが予め設定した所定の回転数よりも大きいときに、前記ミストノズルからの噴射を行うよう制御することになるので、ルーバやステッピングモータの故障などでルーバが正しく動作しなかった場合に、ミストの噴射を停止させることにより高温のミストがルーバに当接することがなく結露水が滴下することによる不快感を防止でき、温度および湿度むらが少ないという効果を得ることができる。
【図面の簡単な説明】
【００１３】
【図１】本発明の実施の形態１の全体構成を示す図
【図２】同ミストノズルとルーバの動作を説明するための図
【図３】同実施の形態１におけるルーバの駆動機構を示す図
【図４】同実施の形態１における電気系の構成を示す図
【図５】同実施の形態１におけるルーバの角度と循環モータの回転数の関係を示す図
【図６】同実施の形態１のミストノズルとルーバの動作を説明するためのフローチャート
【発明を実施するための形態】
【００１４】
本発明の請求項１記載のサウナ装置は、浴室内の空気を循環する循環ファンと、前記循環ファンを駆動する循環モータと、循環ファンにより生成される循環空気を加熱する加熱手段と、循環ファンの吹出口に設けたミストノズルと、ミストノズルに対向して設けられステッピングモータで回動されるルーバと、循環ファンとミストノズルとルーバとを制御する制御装置を備えたサウナ装置であって、前記制御装置は、循環モータの回転数を検知する回転数検知手段を備え、前期ルーバを所定の２つの角度（θ１、θ２）にして、前記循環モータを所定の駆動電圧Ｖ１を与えて回転させて、前記回転数検知手段によってそれぞれの回転数を測定し、
計測した回転数の差ΔＲが予め設定した所定の回転数よりも大きいときに前記ミストノズルからの噴射を行うよう制御することを特徴としている。
【００１５】
また、本発明の請求項２記載のサウナ装置は、前記回転数の差ΔＲが予め設定した前記所定の回転数よりも小さいときに、
さらに、前記ルーバを前記所定の２つの角度（θ１、θ２）にして、前記循環モータを前記駆動電圧Ｖ１よりも高い所定の駆動電圧Ｖ２を与えて回転させて、前記回転数検知手段によってそれぞれの回転数を測定し、
計測した回転数の差が予め設定した前記所定の回転数よりも大きいときに、前記ミストノズルからの噴射を行うよう制御することを特徴としている。
【００１６】
このことにより、フィルタの目詰まりによるルーバ故障の誤検知を避けることができる。
【００１７】
以下、本発明の実施の形態について図面を参照しながら説明する。
【００１８】
（実施の形態１）
図１は本発明のサウナ装置の全体構成を示す図である。
【００１９】
図において、サウナ装置本体は、天井１に取り付けられるケーシング２に取り付けられたグリル３とで閉じた空間を構成している。
【００２０】
グリル３には吸入口４が設けられており、さらにフィルタ５が装着されている。
【００２１】
ケーシング２内には、熱交換器６と循環モータ７（図４に図示）とこれにより駆動される循環ファン８、ステッピングモータ９（図４に図示）で駆動されるルーバ１０が設けられている。
【００２２】
ルーバ１０が点線示のように開放状態で循環ファン８が回転すると、循環流１２が発生し、浴室内の空気は熱交換器６で加熱される、いわゆる浴室暖房装置の機能が発揮できる構造になっている。
【００２３】
この循環流１２の出口に、ミストノズル１５が設けられている。ミストノズル１５は、給水管１３から供給される温水もしくは水を給水弁１４で制御してミストを下方の浴室内に噴射するものである。
【００２４】
また、ケーシング２には制御装置１６が取り付けられている。
【００２５】
図２は、図１のミストノズル１５とルーバ１０の動作を説明するための図である。
【００２６】
図で１５ａ、１５ｂはミストの噴射域を示す。この噴射域は循環流１２の吹き出し方向の影響を受け、図ではやや左方に偏向されている。
【００２７】
ルーバ１０は、閉止の状態から反時計方向に回動し、開度θ１、θ２はルーバ１０が支障なく動作していることを検知するためのもので（後述）、開度θ３は実際にミストを噴射するための最低の開度をしめしている。
【００２８】
図３はルーバ１０の駆動機構を示す図で、図３（ａ）は側面図、図３（ｂ）は正面図である。
【００２９】
図でケーシング２に固定されたステッピングモータ９の軸１７ａにギア１８ｂが固定され、ルーバ１０の軸１９ａがケーシング２に軸止され（図示せず）、この軸１９ａにギア２０ｂが固定されており、このギア２０ｂはギア１８ｂと係合している。
【００３０】
図４は電気系の構成を示す図である。
【００３１】
図で制御装置１６はＣＰＵ２１を中心に構成されており、ＣＰＵ２１の出力側に循環モータ７を駆動するための駆動回路２２とステッピングモータ９の回動ステップ数を制御するための駆動回路２３と警報部２４が接続されている。また、給水弁１４もＣＰＵ２１により継電器などを介して制御されるが継電器は図示を省略している。
【００３２】
また、熱交換器６の制御についても図示を省略している。
【００３３】
一方、ＣＰＵ２１の入力側には、循環モータ７の回転数を検知する回転数検知手段２６と、前述した暖房やサウナなどのサウナ装置の運転モードを設定し、かつ発停を操作する設定操作部２５が接続されている。
【００３４】
図の回転数検知手段２６は、例えば循環モータ７の回転軸に固定したマグネットと、このマグネットの磁気を検知するホール素子で構成したものでもよく、循環モータがブラシレスのトランジスタモータの場合はモータ自身のパルス列から求める公知の方法であっても良い。
【００３５】
なお、以下に説明する制御装置１６の動作は、ＣＰＵ２１内のマイコンとＲＯＭ、ＲＡＭとが共働するプログラムの形態で実施される。
【００３６】
以上の構成において、図１〜図４を参照しながら、サウナ装置の動作について図５を用いて説明する。
【００３７】
図５はルーバ１０の角度（開度）θと循環モータ７の回転数Ｒの関係を示す図である。横軸のルーバの角度θに対して縦軸は循環モータの回転数Ｒを示している。
【００３８】
曲線ａはモータ電圧がＶ１で駆動された場合の特性である。ルーバが閉（θ＝０）の時に回転数が高くルーバの角度が大きくなると回転数が低くなる。
【００３９】
点線で示した曲線ｂは、曲線ａの初期特性を有したサウナ装置において、図１で説明したフィルタ５が目詰まりを起したときの状態を示している。この場合はルーバの角度に対して回転数の低下傾向は緩やかになる。ここで、初期特性とは、フィルタ５が目詰まりを起こしていない状態を指す。
【００４０】
曲線ｃは、特性が曲線ｂに変化した状態で、モータ電圧をＶ１よりは高位の電圧のＶ２で駆動した場合の特性を示す。
【００４１】
以上の構成で図４、図５を参照しながら図６を用いて、本実施の形態におけるサウナ装置を起動するときの制御装置１６の動作を説明する。
【００４２】
図６は、サウナ装置の起動時におけるミストノズル１５とルーバ１０の動作を説明するためのフローチャートである。
【００４３】
サウナ装置を起動すると、まず、Ｓ１０でステッピングモータ９を回動させてルーバ１０の回動を開始させ、ルーバ１０を角度１５°（θ１）で停止させる。その後、Ｓ１１で循環モータ７が所定の直流の駆動電圧Ｖ１で駆動される。これにより循環ファン８が回転し、その回転数が安定するのを待つ。循環ファン８の回転が安定したら、回転数検知手段２６はそのときの回転数Ｒ１を検知し、Ｓ１２で回転数Ｒ１が記憶される。
【００４４】
次に、Ｓ１３では、ステッピングモータ９をさらに回動させる。そして、ルーバ１０を角度４０°（θ２）と予想されるステッピングモータ９のステップ数をカウントするまで回動動作を行う。回動動作実施後、所定時間経過を待つ（Ｓ１４）。
【００４５】
Ｓ１５では、ルーバ１０の角度θ２のときに回転数検知手段２６が測定した回転数Ｒと、ルーバ１０の角度θ１のときの回転数Ｒ１とが比較される。Ｒ１−Ｒが予め設定された規定値より大きいがどうかを判定する。ここで大きいと判断された場合（Ｒ１−Ｒ＞規定値）は、ルーバ１０が正常に動いていると判断し、Ｓ１６へ進む。Ｓ１６では、さらにステッピングモータ９を回動させて、ルーバ１０に吹き出すミストが衝突しない角度６０°（θ３）でルーバ１０を停止し（Ｓ１８）させる。このルーバ１０の位置（角度θ３）において、通常運転を開始、すなわち、ミストを噴射させる（Ｓ１９）。
【００４６】
一方、Ｓ１５において、Ｒ１−Ｒが規定値より小さいと判断された場合は、ルーバ１０もしくステッピングモータ９が故障している可能性がある。あるいは、前述の図５の曲線ｂのようにフィルタ５が目詰まりしている場合も考えられる。そのため、その確認のため、以下の動作を行う。
【００４７】
まず、Ｓ２０においてステッピングモータ９を逆転させてルーバ１０を閉止させる。次に、Ｓ２１でステッピングモータ９を回動させてルーバ１０の角度１５°（θ１）で停止させる。その後、Ｓ２２で循環モータをＶ１より高い電圧Ｖ２で駆動し、再びＳ１２からＳ１４の動作を行う。このとき、角度θ１における循環ファン８の回転数は、Ｒ２とする。Ｓ１４を終えた後、Ｓ２３へ進む。Ｓ２３では、Ｒ２−Ｒが規定値より大きいかどうかを判定する。Ｒ２−Ｒが予め設定された規定値より大きい場合（Ｒ２−Ｒ＞規定値）は、ルーバ１０が正常に動いていると判断し、Ｓ１６へ進む。すなわち、ルーバ１０は正常に動作していると判断し、通常運転を開始、すなわち、ミストを噴射させる（Ｓ１９）。
【００４８】
一方、Ｒ２−Ｒが予め設定された規定値より小さいと判断された場合は、ルーバ１０の故障と判断して、Ｓ２４で運転を停止し、警報部２４で警報する（Ｓ２５）。
【００４９】
以上の動作によりルーバ１０を正しい位置θ３に正確に停止させてミスト噴射を行うことができるので噴射されたミストがルーバ１０に当接することがなく、したがって、結露水が滴下することによる不快感を与えることがない。
【００５０】
なお、循環モータ７は直流電圧で駆動されるモータで説明したが交流電圧で駆動されるモータを用いてもよい。
【産業上の利用可能性】
【００５１】
本発明にかかるサウナ装置は、簡単な構成でミストの結露を防止でき、かつ温度および湿度むらが少ないサウナ装置を提供できるので、住居用のサウナ装置はもとより、業務用などの他用途のサウナ装置にも適用できる。
【符号の説明】
【００５２】
１  天井
２  ケーシング
３  グリル
４  吸入口
５  フィルタ
６  熱交換器
７  循環モータ
８  循環ファン
９  ステッピングモータ
１０  ルーバ
１２  循環流
１３  給水管
１４  給水弁
１５  ミストノズル
１６  制御装置
２１  ＣＰＵ
２２  駆動回路
２３  駆動回路
２４  警報部
２５  設定操作部
２６  回転数検知手段
【図１】
2015159847.tif 000003
【図２】
2015159847.tif 000004
【図３】
2015159847.tif 000005
【図４】
2015159847.tif 000006
【図５】
2015159847.tif 000007
【図６】
2015159847.tif 000008